(57)【要約】【課題】ベッドの枠部に設置し、ベッドから人が転落することを防ぐベッドガードを提供する。【解決手段】ベッドガードは、可動ヒンジ部２、スタンド３及びカバー部４を備える。可動ヒンジ部２は、枢着ヒンジ部２１、当て板及び回転空間を有する。枢着ヒンジ部２の数は２つである。２つの枢着ヒンジ部２１の底部には、スタンド３の杆体がそれぞれ固着される。スタンド３は、杆体、枢着ブロック３２及び押圧杆３３を有する。杆体は、一端が枢着ヒンジ部２１の底部に接続され、他端に枢着ブロック３２の一端が枢着され、枢着ブロック３２の他端には、押圧杆３３が固着される。カバー部４は、当て布４４及び固定部４５を有する。当て布４４は、上当て部４４１及び下当て部４４２を有する。下当て部４４２は、マットレスの底部により押圧される。下当て部４４２の両側には、押圧杆３３に縛られる縛り紐４４３がそれぞれ設けられる。【選択図】図１
0003205821.tif 000002
【実用新案登録請求の範囲】
【請求項１】
可動ヒンジ部、スタンド及びカバー部を備えたベッドガードであって、
前記可動ヒンジ部は、枢着ヒンジ部、当て板及び回転空間を有し、前記枢着ヒンジ部の数は２つであり、前記枢着ヒンジ部は、一側に当て板を有し、他側に開放式の回転空間が形成され、前記２つの枢着ヒンジ部の底部には、前記スタンドの杆体がそれぞれ固着され、
前記スタンドは、前記杆体、枢着ブロック及び押圧杆を有し、前記杆体は、一端が前記枢着ヒンジ部の底部に接続され、他端に前記枢着ブロックの一端が枢着され、前記枢着ブロックの他端には、前記押圧杆が固着され、
前記カバー部は、当て布及び固定部を有し、前記当て布は、上当て部及び下当て部を有し、前記下当て部は、マットレスの底部により押圧され、前記下当て部の両側には、前記押圧杆に縛られる縛り紐がそれぞれ設けられ、前記上当て部により、幼い子どもの体が外側へ出ることを防ぎ、前記上当て部の両側には、固定部がそれぞれ設けられ、２つの前記固定部の外側縁と、前記上当て部の２つの外側縁とには、結合部材がそれぞれ設けられることを特徴とするベッドガード。
【請求項２】
前記スタンドの前記押圧杆からは、押圧杆係合部材が突出されることを特徴とする請求項１に記載のベッドガード。
【請求項３】
前記スタンドの前記縛り紐は、縛り紐係合部材を有し、
前記縛り紐係合部材は、前記押圧杆の前記押圧杆係合部材に固定されることを特徴とする請求項２に記載のベッドガード。
【考案の詳細な説明】
【技術分野】
【０００１】
本考案は、ベッドガードに関し、特に、ベッドの枠部に設置し、ベッドから人が転落することを防ぐベッドガードに関する。
【背景技術】
【０００２】
従来のベッドガードの大部分は、床板上に固定された金属もしくはプラスチックの手摺に取り付けるか床板とマットレスとの間に取り付ける。手摺は隔離及び保護の機能を有するが、手摺とマットレスとの間には、空隙が発生し易く、幼い子どもの体の一部が手摺とマットレスとの間の空隙に挟まったり、幼い子どもが強い力で押して床板とマットレスとの間のベッドガード構造が歪み、安全上問題が生じる虞があった。
【考案の概要】
【考案が解決しようとする課題】
【０００３】
本考案の主な目的は、幼い子どもの体の一部が手摺とマットレスとの間の空隙に挟まれる従来技術の問題点を改善するベッドガードを提供することにある。
【図面の簡単な説明】
【０００４】
【図１】本考案の一実施形態に係るベッドガードを示す分解斜視図である。
【図２】本考案の一実施形態に係るベッドガードを示す一部分解斜視図である。
【図３】本考案の一実施形態に係るベッドガードの係止部材及び可動ヒンジ部を示す断面図である。
【図４】本考案の一実施形態に係るベッドガードを示す分解斜視図である。
【図５】本考案の一実施形態に係るベッドガード構造をマットレスと床板との間に取り付けたときの状態を示す説明図である。
【図６】本考案の一実施形態に係るベッドガードのスリーブとマットレスとの間の空隙に幼い子どもの体が挿入されたときの状態を示す説明図である。
【図７】本考案の一実施形態に係るベッドガードのスタンドの２つの押圧杆がマットレスから滑り出た状態を示す平面図である。
【図８】本考案の一実施形態に係るベッドガード構造の収納状態を示す説明図である。
【図９】本考案の一実施形態に係るベッドガードの床板の周囲がフレームプレートを有するマットレスとの間に取り付けられた状態を示す説明図である。
【考案を実施するための形態】
【０００５】
図１を参照する。図１に示すように、本考案の一実施形態に係るベッドガードは、少なくとも上枠体１、可動ヒンジ部２、スタンド３及びカバー部４から構成されてなる。
【０００６】
上枠体１は、上杆１１及び係止部材１２を有する。上杆１１は、横杆１１１と、２つの立杆１１２とから構成される。横杆１１１の両端には、それぞれ下向きに延びる立杆１１２が設けられる。２つの立杆１１２の底部には、係止部材１２がそれぞれ設けられる。図２及び図３を併せて参照する。図２及び図３に示すように、係止部材１２は、結合スリーブ１２１、位置規制杆１２２、可動スリーブ１２３、環状レバー１２４、長孔１２５、ばね１２６及びサイドブロック１２７を有する。結合スリーブ１２１は、位置規制杆１２２を介して立杆１１２の底部に係合される。結合スリーブ１２１には、可動スリーブ１２３が外嵌される。可動スリーブ１２３の頂縁には、可動スリーブ１２３を指で引っ張り上げるのに用いる環状レバー１２４が突設され、可動スリーブ１２３の両側に形成された長孔１２５からは位置規制杆１２２の両側端が突出され、可動スリーブ１２３の上下方向の距離を制限する。可動スリーブ１２３内には、ばね１２６が設置される。ばね１２６は、立杆１１２に外嵌される。ばね１２６は、一端が可動スリーブ１２３上に当接され、他端が結合スリーブ１２１上に当接され、可動スリーブ１２３が上向きに移動するとばね１２６が圧縮され、可動スリーブ１２３の外周両側にはサイドブロック１２７が突出されている。サイドブロック１２７が可動ヒンジ部２の位置決め溝２４中に嵌入され、上杆１１の２つの立杆１１２底端には、可動ヒンジ部２の２つの枢着ヒンジ部２１がそれぞれ枢着される。
【０００７】
可動ヒンジ部２は、枢着ヒンジ部２１、当て板２２、回転空間２３、位置決め溝２４、接続端２５及び底杆２６を有する。枢着ヒンジ部２１の数は２つであり、枢着ヒンジ部２１は、一側に当て板２２を有し、他側に開放式の回転空間２３が形成されている。回転空間２３内には、回転空間２３の開口２３１へ向かって立杆１１２が枢着されている。枢着ヒンジ部２１の頂部には、下向きに凹んだ位置決め溝２４が凹設されている。２つの枢着ヒンジ部２１の対向する側面には接続端２５がそれぞれ設けられる。枢着ヒンジ部２１の接続端２５には、底杆２６が接続される。底杆２６の他端は、他方の枢着ヒンジ部２１の接続端２５に接合される。２つの枢着ヒンジ部２１の底部には、スタンド３の杆体３１がそれぞれ固着される。
【０００８】
スタンド３は、杆体３１、枢着ブロック３２、押圧杆３３及び滑り止めブロック３４を有する。杆体３１は、一端が枢着ヒンジ部２１底部に接続され、他端に枢着ブロック３２の一端が枢着される。枢着ブロック３２の他端には、押圧杆３３が固着される。押圧杆３３の末端には、滑り止めブロック３４が取り付けられる。滑り止めブロック３４は、扁平に形成される上、押圧杆３３から押圧杆係合部材３３１が突出される。
【０００９】
図１及び図４を参照する。図１及び図４に示すように、カバー部４は、スリーブ４１、上杆連通孔４２、底杆連通孔４３、当て布４４及び固定部４５を有する。スリーブ４１上には、単数又は複数の網布４１１が配置される。スリーブ４１の頂縁及び両側縁には、上杆１１を挿入する下向きのコ字状の上杆連通孔４２が形成される。スリーブ４１の底縁には、底杆２６を挿入する底杆連通孔４３が形成され、スリーブ４１の底縁には、当て布４４が設けられる。当て布４４は、上当て部４４１及び下当て部４４２により構成される。下当て部４４２は、マットレスの底部により押圧され、下当て部４４２の両側には縛り紐４４３がそれぞれ設けられる。縛り紐４４３は、押圧杆３３の押圧杆係合部材３３１に縛られる縛り紐係合部材４４４を有する。上当て部４４１により、幼い子どもの体が外側へ出ることを防ぐ。上当て部４４１の両側には、固定部４５がそれぞれ設けられる。２つの固定部４５の外側縁と、上当て部４４１の２つの外側縁とには、結合部材４５１がそれぞれ設けられる。固定部４５の結合部材４５１は、上当て部４４１のうちの一つの外側縁の上当て部４４１と結合される。
【００１０】
図５を参照する。図５に示すように、本考案の一実施形態に係るベッドガードを実際に使用する際、ベッドガード構造は、スタンド３の滑り止めブロック３４を利用する。押圧杆３３がマットレスと床板との間に挿入され、押圧杆３３がマットレスの底部により押圧されると、上枠体１、可動ヒンジ部２及びカバー部４がマットレスの側辺に位置し、ベッドガード構造は、展開又は収納の２種類の状態を有する。展開状態のとき、係止部材１２のサイドブロック１２７が可動ヒンジ部２の位置決め溝２４中に嵌入され、上枠体１及びカバー部４によりマットレス横の上方が遮られ（図６を参照する）、マットレス上にいる幼い子どもがカバー部４によりベッドから転落することを防ぐ。また、押圧杆３３がマットレスの底部により押圧されると、当て布４４の下当て部４４２もマットレスの底部により押圧され、当て布４４の上当て部４４１がマットレスの底縁により覆われる。スリーブ４１とマットレスとの間の空隙から幼い子どもの体の一部が外部へ出ないように、当て布４４の上当て部４４１により遮り、当て布４４の上当て部４４１及び下当て部４４２により、手摺、マットレス及び床板により生じた水平、垂直の空隙を覆い、幼い子どもの体の一部が空隙から出て怪我したりベッドから転落したりすることを防ぎ（図７を参照する）、幼い子どもが大きな力で当たっても、ベッドガード構造が歪んでしまっても、マットレス底部に位置する２つの押圧杆３３の支持力が不均等となってマットレスから外れてしまうことがあるが、マットレス底部に位置する下当て部４４２が大きめの面積を有するため、マットレスを押下しても２つの押圧杆３３がマットレスから外れることを防ぐ。
【００１１】
図３及び図８を参照する。図３及び図８に示すように、ベッドガードを収納状態にする場合、まず、上杆１１の両側に設けた係止部材１２を制御し、係止部材１２の可動スリーブ１２３を引っ張り上げると、可動スリーブ１２３と結合スリーブ１２１とが相向かって倒れてばね１２６が圧縮され、可動スリーブ１２３の環状レバー１２４が引っ張り上げられた後、可動スリーブ１２３両側に設けられたサイドブロック１２７が位置決め溝２４から外れ、上杆１１の横杆１１１が可動可能な状態となり、可動ヒンジ部２が当て板２２を有するため、横杆１１１がマットレスへ向かわずに回転空間２３のみへ向かって回転するため、マットレス上の幼い子どもに上杆１１及びカバー部４が当たることを防ぐことができる。そのため、使用する構造の安全性を高めることができる。図９を参照する。図９に示すように、床板周囲のフレームプレート５を有するマットレス間にベッドガード構造を取り付ける場合、スタンド３の杆体３１が枠高さの可動ヒンジ部２を有するため、上枠体１及びカバー部４が可動ヒンジ部２を軸心として外方へ回転すると、上枠体１及びカバー部４が床板のフレームプレート５により遮られる。
【００１２】
上述したことから分かるように、本考案のベッドガードは、カバー部の当て布を介してマットレスの底縁から上向きに覆い、マットレスとカバー部のスリーブとの間の空隙から転落することを防ぐことができる上、幼い子どもの体が空隙から出てしまい、挟まって怪我をすることを防ぐこともできる。当て布の一部がマットレス下で押圧され、全体構造がマットレスで押下されて固定される面積を大幅に高め、全体構造の耐衝撃性を高め、全体構造が衝撃を受けたときの変位量を減らすことができるため、大人又は幼い子どもが当たった後でも全体構造が変位して歪んで隙間が生じることを防ぎ、幼い子どもの体が空隙に挿入されて挟まって怪我をしてしまう状況を防ぎ、スタンドの杆体が枠高さの可動ヒンジ部、上枠体及びカバー部を有するため、スタンドが各種マットレス及び床板中に挿入され、可動ヒンジ部、上当て部の操作に悪影響を与えることはなく、安全性が高い。
【符号の説明】
【００１３】
１  上枠体
２  可動ヒンジ部
３  スタンド
４  カバー部
５  フレームプレート
１１  上杆
１２  係止部材
２１  枢着ヒンジ部
２２  当て板
２３  回転空間
２４  位置決め溝
２５  接続端
２６  底杆
３１  杆体
３２  枢着ブロック
３３  押圧杆
３４  滑り止めブロック
４１  スリーブ
４２  上杆連通孔
４３  底杆連通孔
４４  当て布
４５  固定部
１１１  横杆
１１２  立杆
１２１  結合スリーブ
１２２  位置規制杆
１２３  可動スリーブ
１２４  環状レバー
１２５  長孔
１２６  ばね
１２７  サイドブロック
２３１  開口
３３１  押圧杆係合部材
４１１  網布
４４１  上当て部
４４２  下当て部
４４３  縛り紐
４４４  縛り紐係合部材
４５１  結合部材
【図１】
0003205821.tif 000003
【図２】
0003205821.tif 000004
【図３】
0003205821.tif 000005
【図４】
0003205821.tif 000006
【図５】
0003205821.tif 000007
【図６】
0003205821.tif 000008
【図７】
0003205821.tif 000009
【図８】
0003205821.tif 000010
【図９】
0003205821.tif 000011